(57)【要約】    【課題】  歯の清掃作業に便利な歯間清掃具の構造を提供する。    【解決手段】  柄部１を備え、柄部１前端からは二つの糸張部２、３が伸びており、二つの糸張部間にはデンタルフロス４が接続されている。一方、柄部１の後端には歯間ブラシ５が設けられている。この構造によりデンタルフロスと歯間ブラシの機能を兼ね備えることができ、双方の歯の清掃効果を同時に達成でき、歯の清掃作業に便利である。【選択図】図３
0003110869.tif 000002
【実用新案登録請求の範囲】
【請求項１】
柄部を備え、この柄部前端からは二つの糸張部が伸びて、これら二つの糸張部間にデンタルフロスが接続されている一方、前記柄部後端には歯間ブラシが設けられていることを特徴とする歯間清掃具の構造改良。
【請求項２】
前記柄部の相対する両側面には間隔を空けて複数の突起が設けられていることを特徴とする請求項１記載の歯間清掃具の構造改良。
【請求項３】
前記柄部後端は、細長い尖状に形成されていることを特徴とする請求項１記載の歯間清掃具の構造改良。
【請求項４】
前記歯間ブラシは、前記柄部後端の相対する両側に設置されていることを特徴とする請求項１記載の歯間清掃具の構造改良。
【請求項５】
前記歯間ブラシは、前記柄部後端の全ての周縁上に設置されていることを特徴とする請求項１記載の歯間清掃具の構造改良。
【考案の詳細な説明】
【技術分野】
【０００１】
本考案は、歯間清掃具の構造改良に関し、特にデンタルフロスと歯間ブラシを兼ね備えており、効果的に歯を清掃することができる歯間清掃具の構造改良に関する。
【背景技術】
【０００２】
歯間清掃具は頻繁に使用されている歯の清掃道具であり、図１に示すように、従来技術の歯間清掃具８は柄部８１を備えており、この柄部８１からは二つの糸張部８２、８３が伸びており、これら二つの糸張部８２、８３間にはデンタルフロス８４が接続されている。使用者は歯間清掃具８の柄部８１を把持してデンタルフロス８４を操作し、歯と歯の間の食べ滓（食物滓）や歯垢を取り除き、歯を清掃する効果を達成している。
【０００３】
しかしながら、上述の従来技術の歯間清掃具は、デンタルフロスによって歯を清掃する機能しか備えておらず、食べ滓が付着した各種状態に対応することが困難であったため歯の清掃効果には限界があり、優れた清掃効果を達成することはできなかった。
【０００４】
また、図２は従来技術の歯間清掃具である歯間ブラシ付き爪楊枝を示す斜視図である。その歯間ブラシ付き爪楊枝９は本体９１を備えており、本体９1の一端は尖状の爪楊枝端部９２が形成されており、本体９１のもう一方の一端には一体成形された歯間ブラシ９３が設けられており、それは歯間の食べ滓や歯垢をかき出すのに使用できる。歯間ブラシ付き爪楊枝９には特別に歯間ブラシ９３が設置されており、デンタルフロスとは異なる歯の清掃機能を提供することができるのだが、歯間ブラシ付き爪楊枝９はデンタルフロス特有の清掃機能を備えていない。
【０００５】
上述したデンタルフロスや歯間ブラシ付き爪楊枝では双方の歯の清掃効果を同時に達成することはできなかった。
【０００６】
上述の内容から分かるように、従来技術の歯間清掃具は使用上不便な点と欠点が存在し、さらなる改善を行うことができるものである。
【０００７】
そこで本考案の考案者は上述の欠点を改善するために研究に没頭し、学理の運用を行い、ついに合理的で上述の欠点を改善した本考案を考案した。
【考案の開示】
【考案が解決しようとする課題】
【０００８】
本考案の目的は、デンタルフロスと歯間ブラシ付き爪楊枝の機能を兼ね備えた、全方の歯の清掃効果を同時に達成することができ、歯の清掃作業に便利な歯間清掃具の構造改良を提供することにある。
【課題を解決するための手段】
【０００９】
上述の目的を達成するため、本考案は歯間清掃具の構造改良を提供する。本考案の歯間清掃具の構造改良は、柄部を備えており、柄部前端からは二つの糸張部が伸びており、二つの糸張部間にはデンタルフロスが接続されており、柄部後端には歯間ブラシが設けられている。
【考案の効果】
【００１０】
本考案の歯間清掃具は、柄付きデンタルフロスと歯間ブラシ付き爪楊枝を一体に設けた（整合した）ものであり、両者は柄部（本体）１を共用するので全体の構造が簡単になり、コストを下げることができ、使用者は柄付きデンタルフロスと歯間ブラシ付き爪楊枝を別々に買う必要がなく、歯の清掃作業に便利である。
【考案を実施するための最良の形態】
【００１１】
本考案の特徴と技術内容を更に明らかにするため、以下において本考案に関する詳細な説明を図面に従って説明するが、図面は参考と説明のために提供するものであり、本考案を制限するものではない。
【００１２】
図３、４、５、６に示すように、本考案は歯間清掃具の構造改良を提供するものであり、その歯間清掃具はプラスチック材料を射出成形したものであり、柄部１を備えており、柄部１の前端からは二つの糸張部２、３が伸びており、二つの糸張部２、３は一定の距離間隔を有しており、二つの糸張部２、３間にはデンタルフロス４が接続されている。
【００１３】
柄部１の相対する両側面には間隔を空けて多数の突起１１が設けられて、滑り止めの機能を提供しており、使用者は柄部１を安定して把持することができる。柄部１の後端は細長い尖状に形成されており、さらに歯間ブラシ５が設けられている。歯間ブラシ５は柄部１の後端の相対する両側に設置されている。なお、当然歯間ブラシ５の数量と配列方式は限定されず、柄部１の後端の全周縁上に密集させて設置することもできる（図７参照）。
【００１４】
本考案を使用する時、使用者は歯間清掃具の柄部１を把持してデンタルフロス４を操作することにより、歯と歯の間の食べ滓や歯垢を取り除き、歯の清掃効果を達成することができる。
【００１５】
本考案は、デンタルフロスと歯間ブラシの機能を兼ね備え、デンタルフロスとは異なる歯の清掃機能を提供することができるので、デンタルフロス４以外のもう一端の歯間ブラシ５を利用して、歯の清掃だけでなく、歯間の食べ滓や歯垢をかき出すことができる。これにより、本考案では、全方の歯の清掃機能を同時に達成することができる。
【００１６】
本考案は、柄付きデンタルフロスと歯間ブラシ付き爪楊枝とを一体に設けたものであり、両者は柄部（本体）１を共用しているので全体の構造を簡単にし、コストを下げることができる。そのため、使用者は柄付きデンタルフロスと歯間ブラシ付き爪楊枝を別々に買う必要がなく、歯の清掃作業に便利である。
【００１７】
上述の内容は本考案の好適な実施形態を示したものであり、それにより本考案の範囲が制限されることはなく、本考案の明細書および図面の内容と同等の構造上の変化、同様の理念は全て本考案の範囲に含まれるべきである。
【図面の簡単な説明】
【００１８】
【図１】従来技術による歯間清掃具である柄付きデンタルフロスを示す斜視図である。
【図２】従来技術による歯間清掃具である歯間ブラシ付き爪楊枝を示す斜視図である。
【図３】本考案の一実施形態による歯間清掃具を示す斜視図である。
【図４】本考案の一実施形態による歯間清掃具を異なる角度から見たときの斜視図である。
【図５】本考案の一実施形態による歯間清掃具の前面図である。
【図６】本考案の一実施形態による歯間清掃具の側面図である。
【図７】本考案のもう一つの実施形態による歯間清掃具を示す斜視図である。
【符号の説明】
【００１９】
１  柄部、１１  突起、２、３  糸張部、４  デンタルフロス、５  歯間ブラシ、８歯間清掃具、８１ 柄部、８２、８３ 糸張部、８４ デンタルフロス、９ 前記歯間ブラシ付き爪楊枝、９１ 本体、９２ 爪楊枝端部、９３ 歯間ブラシ
【図１】
0003110869.tif 000003
【図２】
0003110869.tif 000004
【図３】
0003110869.tif 000005
【図４】
0003110869.tif 000006
【図５】
0003110869.tif 000007
【図６】
0003110869.tif 000008
【図７】
0003110869.tif 000009
【手続補正書】
【提出日】平成17年4月11日(2005.4.11)
【手続補正１】
【補正対象書類名】実用新案登録請求の範囲
【補正対象項目名】全文
【補正方法】変更
【補正の内容】
【実用新案登録請求の範囲】
【請求項１】
柄部を備え、この柄部前端からは二つの糸張部が伸びて、これら二つの糸張部間にデンタルフロスが接続されている一方、前記柄部後端には歯間ブラシが設けられていることを特徴とする歯間清掃具の構造。
【請求項２】
前記柄部の相対する両側面には間隔を空けて複数の突起が設けられていることを特徴とする請求項１記載の歯間清掃具の構造。
【請求項３】
前記柄部後端は、細長い尖状に形成されていることを特徴とする請求項１記載の歯間清掃具の構造。
【請求項４】
前記歯間ブラシは、前記柄部後端の相対する両側に設置されていることを特徴とする請求項１記載の歯間清掃具の構造。
【請求項５】
前記歯間ブラシは、前記柄部後端の全ての周縁上に設置されていることを特徴とする請求項１記載の歯間清掃具の構造。
【手続補正３】
【補正対象書類名】明細書
【補正対象項目名】０００１
【補正方法】変更
【補正の内容】
【０００１】
本考案は、歯間清掃具の構造に関し、特にデンタルフロスと歯間ブラシを兼ね備えており、効果的に歯を清掃することができる歯間清掃具の構造に関する。
【手続補正４】
【補正対象書類名】明細書
【補正対象項目名】０００８
【補正方法】変更
【補正の内容】
【０００８】
本考案の目的は、デンタルフロスと歯間ブラシ付き爪楊枝の機能を兼ね備えた、全方の歯の清掃効果を同時に達成することができ、歯の清掃作業に便利な歯間清掃具の構造を提供することにある。
【手続補正５】
【補正対象書類名】明細書
【補正対象項目名】０００９
【補正方法】変更
【補正の内容】
【０００９】
上述の目的を達成するため、本考案は歯間清掃具の構造を提供する。本考案の歯間清掃具の構造は、柄部を備えており、柄部前端からは二つの糸張部が伸びており、二つの糸張部間にはデンタルフロスが接続されており、柄部後端には歯間ブラシが設けられている。
【手続補正６】
【補正対象書類名】明細書
【補正対象項目名】００１２
【補正方法】変更
【補正の内容】
【００１２】
図３、４、５、６に示すように、本考案は歯間清掃具の構造を提供するものであり、その歯間清掃具はプラスチック材料を射出成形したものであり、柄部１を備えており、柄部１の前端からは二つの糸張部２、３が伸びており、二つの糸張部２、３は一定の距離間隔を有しており、二つの糸張部２、３間にはデンタルフロス４が接続されている。